(57)【特許請求の範囲】
【請求項１】
入射される映像を投影する円柱状の投写レンズユニットと、
この投写レンズユニットに一体的に設けられたフランジ体と、
該フランジ体が突き合わされて固定されることにより、画像情報に基づいて画素ごとに光変調可能な平面状のライトバルブからの光を、該フランジ体と一体となった前記投写レンズユニットに出射する投写レンズ取付体と、
前記フランジ体に、前記投写レンズユニットの光軸に平行に設けられた駆動ピンと、
該駆動ピンを、投写レンズユニットの光軸と直交する方向に沿ってガイドするように前記投写レンズ取付体に設けられたピンガイド部と、
前記フランジ体と前記投写レンズ取付体との間に配置されており、前記投写レンズ取付体に対して所定方向に移動されることによって、該駆動ピンを前記ピンガイド部にてガイドされるように移動させる板状のレンズシフトカムと、
該レンズシフトカムを、前記フランジ体とともに前記投写レンズ取付体と一体的に固定する手段と、
を具備することを特徴とする投写レンズシフト機構。
【請求項２】
前記レンズシフトカムは投写レンズユニットの光軸付近を回動中心として回動し得るように、該投写レンズ取付体に取り付けられたリング形状になっている請求項１記載の投写レンズシフト機構。
【請求項３】
前記フランジ体には、前記駆動ピンとは周方向に１／４周程度離れた位置に、前記投写レンズユニットの光軸に沿って配置された第２駆動ピンが設けられており、該第２駆動ピンが、前記フランジ体と前記投写レンズ取付体との間に配置された板状の第２のレンズシフトカムによって、前記ピンガイド部とはほぼ直交する方向に沿って移動される請求項１記載の投写レンズシフト機構。
【請求項４】
前記第２レンズシフトカムが、投写レンズユニットの光軸付近を回動中心として回動し得るように、該投写レンズ取付体に取り付けられたリング形状になっている請求項３記載の投写レンズシフト機構。
【請求項５】
請求項１記載の投写レンズシフト機構において、前記駆動ピンが、前記フランジ体に代えて、前記投写レンズ取付体に設けられるとともに、前記ピンガイド部が、前記投写レンズ取付体に代えて、前記フランジ体に設けられていることを特徴とする投写レンズシフト機構。
【請求項６】
前記投写レンズ取付体には、前記駆動ピンとは周方向に１／４周程度離れた位置に、前記投写レンズユニットの光軸に沿って配置された第２駆動ピンが設けられており、該第２駆動ピンが、前記フランジ体と前記投写レンズ取付体との間に配置された板状の第２のレンズシフトカムによって、前記ピンガイド部とほぼ直交する方向に沿って移動される請求項５記載の投写レンズシフト機構。
【発明の詳細な説明】
【０００１】
【発明の属する技術分野】
本発明は、光源から出射される光束を、液晶パネル等のライトバルブに照射して、そのライトバルブを透過または反射した光によって形成される映像を、円柱状の投写レンズユニットを介して、透過型スクリーンに拡大して投影する液晶リアプロジェクションテレビ等の投写型表示装置等において、投写レンズユニットを所定方向にシフトさせるために使用される投写レンズシフト機構に関し、さらに詳述すれば、投写レンズユニットの光軸を平行移動させて、スクリーン上に投写された映像の位置を調整することができる投写レンズシフト機構に関する。
【０００２】
【従来の技術】
リアプロジェクションテレビ等の投写型表示装置では、高輝度化および高解像化に対応するため、近年、ＣＲＴに代えて、透過型あるいは反射型の液晶パネル等によって構成されたパネル状のライトバルブと、メタルハライドランプ、超高圧水銀ランプ等の高輝度ランプとを組み合わせて構成されている。
【０００３】
パネル状のライトバルブを用いたリアプロジェクションテレビでは、スクリーン上に投影される映像の位置調整は、ＣＲＴ方式において採用されるような電気的な調整を行うことができないため、ライトバルブ、投写レンズユニット、ランプなどから構成される光学ユニットの取り付け位置を調整することにより、スクリーン上に投影される映像の位置を調整する方法が採用されている。
【０００４】
【発明が解決しようとする課題】
しかしながら、このように、スクリーン上に投影される映像の位置を高精度で調整するためには、ライトバルブ、投写レンズユニット、ランプ等の光学素子、ライトバルブに効率よく光を照射するための照明光学系に含まれる光学素子等を含む光学ユニットを、高精度で移動させて、その移動位置に、正確に位置決めして固定する必要がある。そのためには、高強度であって、しかも大型の機構部品が必要になり、その結果、製品の重量が増加するおそれ、および、製造コストが増加するおそれがある。
【０００５】
本発明はこのような問題を解決するものであり、その目的は、光学ユニットにおける投写レンズユニットの位置を、高精度で調整することができ、従って、スクリーン上に投影される映像の位置を高精度で調整することができる投写レンズシフト機構を提供することにある。
【０００６】
【課題を解決するための手段】
このような目的を達成するために、請求項１に記載の本発明のレンズシフト機構は、入射される映像を投影する円柱状の投写レンズユニットと、この投写レンズユニットに一体的に設けられたフランジ体と、該フランジ体が突き合わされて固定されることにより、画像情報に基づいて画素ごとに光変調可能な平面状のライトバルブからの光を、該フランジ体と一体となった前記投写レンズユニットに出射する投写レンズ取付体と、前記フランジ体に、前記投写レンズユニットの光軸に平行に設けられた駆動ピンと、該駆動ピンを、投写レンズユニットの光軸と直交する方向に沿ってガイドするように前記投写レンズ取付体に設けられたピンガイド部と、前記フランジ体と前記投写レンズ取付体との間に配置されており、前記投写レンズ取付体に対して所定方向に移動されることによって、該駆動ピンを前記ピンガイド部にてガイドされるように移動させる板状のレンズシフトカムと、該レンズシフトカムを、前記フランジ体とともに前記投写レンズ取付体と一体的に固定する手段と、を具備することを特徴とする。
【０００７】
請求項２に記載の発明の投写レンズシフト機構は、前記レンズシフトカムは投写レンズユニットの光軸付近を回動中心として回動し得るように、該投写レンズ取付体に取り付けられたリング形状になっている。
【０００８】
請求項３に記載の投写レンズシフト機構は、前記フランジ体には、前記駆動ピンとは周方向に１／４周程度離れた位置に、前記投写レンズユニットの光軸に沿って配置された第２駆動ピンが設けられており、該第２駆動ピンが、前記フランジ体と前記投写レンズ取付体との間に配置された板状の第２のレンズシフトカムによって、前記ピンガイド部とはほぼ直交する方向に沿って移動される。
【０００９】
請求項４に記載の投写レンズシフト機構は、前記第２レンズシフトカムが、投写レンズユニットの光軸付近を回動中心として回動し得るように、該投写レンズ取付体に取り付けられたリング形状になっている。
【００１０】
請求項５に記載の投写レンズシフト機構は、請求項１記載の投写レンズシフト機構において、前記駆動ピンが、前記フランジ体に代えて、前記投写レンズ取付体に設けられるとともに、前記ピンガイド部が、前記投写レンズ取付体に代えて、前記フランジ体に設けられていることを特徴とする。
【００１１】
請求項６に記載の投写レンズシフト機構は、前記投写レンズ取付体には、前記駆動ピンとは周方向に１／４周程度離れた位置に、前記投写レンズユニットの光軸に沿って配置された第２駆動ピンが設けられており、該第２駆動ピンが、前記フランジ体と前記投写レンズ取付体との間に配置された板状の第２のレンズシフトカムによって、前記ピンガイド部とほぼ直交する方向に沿って移動される。
【００１２】
【発明の実施の形態】
以下、本発明の実施の形態について、図面に基づいて説明する。
【００１３】
図１は、本発明のレンズシフト機構が設けられた光学ユニットの一例を示す斜視図、図２は、その分解斜視図である。このレンズシフト機構２４は、投写型表示装置であるリアプロジェクションテレビ（以後、リアＰＴＶと称す）に設けられている。図３は、そのリアＰＴＶの概略構成を示す断面図である。
【００１４】
図３に示すように、リアＰＴＶ２３は、本発明のレンズシフト機構が設けられている光学ユニット２４が収容されたキャビネット２９を有している。キャビネット２９は、垂直方向に沿った前面の上部に、長方形状の開口部２９ａが形成されており、この開口部２９ａを覆うようにスクリーン３が設けられている。スクリーン３の後方には、スクリーン３に対して傾斜状態となったミラー２５が、キャビネット２９の傾斜した上面２９ｂに沿って設けられており、キャビネット２９内のスクリーン３の下方に、本発明のレンズシフト機構が内蔵された光学ユニット２４が設けられている。光学ユニット３から照射される光によって形成される映像は、傾斜したミラー２５にて反射されて、スクリーン３に投影される。
【００１５】
図１および図２に示すように、本発明のレンズシフト機構が設けられた光学ユニット２４は、円柱状の投写レンズユニット７と、この投写レンズユニット７が取り付けられた投写レンズ取付体９とを有している。
【００１６】
円柱状の投写レンズユニット７には、光が入射される端部寄りの位置に、光軸に直交するように全周にわたって外側に突出したフランジ体４が、一体的に設けられている。
【００１７】
投写レンズ取付体９は、円板の中央部に、投写レンズユニット７が挿入される円形の開口部９ａが形成されたリング状をしており、その開口部９ａ内に、投写レンズユニット７の光入射側の端部が、開口部９ａの中心と投写レンズユニット７の光軸とがほぼ一致するように挿入されている。投写レンズユニット７のフランジ体４は、光入射側の端部が開口部９ａ内に挿入されることにより、投写レンズ取付体９に突き合わされる。
【００１８】
投写レンズ取付体９の下部には、ベース１２が、投写レンズユニット７の光入射側端部に沿って取り付けられている。ベース１２上には、投写レンズユニット７へ入射される光を出射する色合成プリズム２が設けられている。色合成プリズム２は、一対の側面同士が直角に突き合わされた断面直角三角形状に構成されており、直角に突き合わされた一方の側面が、投写レンズユニット７の端面に対向して配置され、その側面に対して直角に突き合わされた他方の側面が、投写レンズユニット７の光軸に平行になるように配置されている。色合成プリズム２の内部のダイクロイックミラー面は、投写レンズユニット７の光軸に対して４５度の角度で傾斜している。
【００１９】
ベース１２上には、それぞれライトバルブである３つの液晶パネル１Ｒ、１Ｇ、１Ｂがそれぞれ設けられている。各液晶パネル１Ｒ、１Ｇ、１Ｂには、光源からの光を色分解光学系によって分解して得られたＲ（赤)、Ｇ（緑）、Ｂ（青）の各色の光がそれぞれ照射されようになっている。各液晶パネル１Ｒ、１Ｇ、１Ｂは、画像情報に基づいて、各画素毎に、照射される光を変調する。
【００２０】
赤色光（Ｒ）が照射される液晶パネル１Ｒは、投写レンズユニット７の光軸に平行になった色合成プリズム２の側面に沿って配置されており、青色光（Ｂ）が照射される液晶パネル１ｂは、色合成プリズム２を挟んで、液晶パネル１Ｒに対向して平行に配置されている。緑色光（Ｇ）が照射される液晶パネル１Ｇは、投写レンズユニット７における光入射側の端面に、色合成プリズム２を挟んで対向するように配置されている。各液晶パネル１Ｒ、１Ｇ、１Ｂをそれぞれ透過したＲ（赤)、Ｇ（緑）、Ｂ（青）の各色の光は、色合成プリズム２によって合成されて映像を形成し、その映像が、投写レンズユニット７に照射される。
【００２１】
色合成プリズム２は、出射される映像の光軸が、投写レンズ取付体９の開口部９ａの中心軸に一致するように、投写レンズ取付体９に一体的に取り付けられたベース１２上に配置されている。
【００２２】
投写レンズ取付体９と投写レンズユニット７のフランジ部４との間には、投写レンズユニット７に嵌合される第１レンズシフトカム２０および第２レンズシフトカム２２が、投写レンズ取付体９側から順番に設けられている。第１レンズシフトカム２０および第２レンズシフトカム２２は、それぞれ、円板の中央部に開口部２０ａおよび２２ａが同心状態で形成されたリング状に構成されており、その外径は、フランジ体４および投写レンズ取付体９よりも若干小さくなっている。第１および第２のレンズシフトカム２０および２２に設けられた開口部２０ａおよび２２ａにより、投写レンズ取付体９に回転自在に取り付けられている。
【００２３】
図４は、投写レンズユニット７の光照射側からの第２レンズシフトカム２２および第１レンズシフトカム２０の正面図である。第１レンズシフトカム２０には、１／８周程度の適当な長さを有する長孔状の第１カム孔２０ｂが、周方向に対して傾斜した状態で設けられている。この第１カム孔２０ｂは、図４に矢印Ａで示す方向に位置する一方の端部が、第１レンズシフトカム２０の中心に近接し、反対側の端部が、第１レンズシフトカム２０の中心から離れるように、第１レンズシフトカム２０の周方向に対して傾斜している。この第１ピンガイド孔２０ｃの長手方向は、投写レンズユニット７によってスクリーン３上に映像を投影した場合に、その映像の水平方向にほぼ対応している。
【００２４】
また、この第１カム孔２０ｂに対して周方向に１／４周だけ離れた位置には、同様に、１／８周程度の適当な長さを有する長孔状の第１ピンガイド孔２０ｃが周方向に沿って設けられている。従って、この第１ピンガイド孔２０ｃは、投写レンズユニット７によってスクリーン３上に映像を投影した場合に、その映像の垂直方向に対応している。第１ピンガイド孔２０ｃは、第１カム孔２０ｂの幅寸法よりも大きな一定の幅方向寸法で、第１レンズシフトカム２０の周方向に沿って設けられている。
【００２５】
第２レンズシフトカム２２には、第１レンズシフトカム２０に設けられた第１カム孔２０ｂと同様の位置に、第２ピンガイド孔２２ｃが第１カム孔２０ｂに対向して設けられている。この第２ピンガイド孔２２ｃは、第１レンズシフトカム２０に設けられた第１カム孔２０ｂ全体が、その第２ピンガイド孔２０ｂ内に位置するように、第１カム孔２０ｂの幅方向寸法よりも大きな一定の幅方向寸法で、第２レンズシフトカム２０の周方向に沿って設けられている。
【００２６】
また、第２レンズシフトカム２２には、第１レンズシフトカム２０に設けられた第１ピンガイド孔２０ｃと同様の位置に、第１ピンガイド孔２０ｃに対向して、第２カム孔２２ｂが設けられている。この第２カム孔２２ｂの幅方向寸法および長さは、第１レンズシフトカム２０に設けられた第１カム孔２０ｃと同様の幅方向寸法および長さになっており、従って、周方向に対して傾斜した状態で設けられている。第２カム孔２２ｂは、第２ピンガイド孔２２ｃに近接した端部が、第２レンズシフトカム２２の中心に近接し、反対側の端部が、第２レンズシフトカム２２の中心から離れるように、第２レンズシフトカム２２の周方向に対して傾斜している。
【００２７】
第１レンズシフトカム２０には、第１カム孔２０ｂの一方の端部（第１ピンガイド孔２０ｃの遠方側の端部）に対応した位置から半径方向に沿って外側に突出する操作部２０ｄが設けられており、また、第２レンズシフトカム２２には、、第２ピンガイド孔２２ｃの一方の端部（第２カム孔２２ｂに近接した端部）に対応した位置から半径方向に沿って外側に突出する操作部２２ｄが設けられている。
【００２８】
投写レンズユニット７に設けられたフランジ体４には、第１レンズシフトカム２０に設けられた第１カム孔２０ｂ内に挿入される第１駆動ピン５が、投写レンズユニット７の光軸に沿って、投写レンズ取付体９に向かって突出して設けられている。第１駆動ピン５は、第１カム孔２０ｂの幅方向とほぼ同様の直径を有している。第１駆動ピン５は、第２レンズシフトカム２２に、第１レンズシフトカム２０の第１カム孔２０ｂを取り囲むように設けられた第２ピンガイド孔２２ｃ内を挿通している。
【００２９】
投写レンズ取付体９には、第１駆動ピン５が挿入されるピンガイド孔８が設けられている。このピンガイド孔８は、投写レンズユニット７によってスクリーン３上に映像を投写した場合に、その映像の垂直方向（上下方向）に対応した方向に沿って長くなった長孔状になっており、ピンガイド孔８内に挿入された第１駆動ピン５は、ピンガイド孔８の長手方向に沿ってガイドされる。従って、ピンガイド孔８内に挿入された第１駆動ピン５は、投写レンズ取付体９に対して半径方向に沿ってガイドされるようになっている。
【００３０】
また、投写レンズユニット７に設けられたフランジ体４には、この第１駆動ピン５から周方向に１／４周の間隔をあけて、第２駆動ピン６が、投写レンズユニット７の光軸に沿って、投写レンズ取付体９に向かって突出するように設けられている。この第２駆動ピン６は、第２レンズシフトカム２２の第２カム孔２２ｂを取り囲むように設けられた第１レンズシフトカム２０の第１ピンガイド孔２０ｃ内を挿通して、第２レンズシフトカム２２の第２カム孔２２ｂ内に挿入されている。第２駆動ピン６は、第２カム孔２２ｂの幅方向とほぼ同様の直径を有している。第２駆動ピン５は、第１駆動ピン５よりも若干短く、投写レンズ取付体９の表面に突き当たらない長さになっている。
【００３１】
投写レンズユニット７のフランジ体４には、周方向に等しい間隔をあけて、３つのネジ貫通孔４ａが設けられている。また、投写レンズ取付体９にも、フランジ体４に設けられた各ネジ貫通孔４ａにそれぞれ対向して、ナット部材９ｂが、それぞれ回転しない状態で埋め込まれている。
【００３２】
投写レンズユニット７のフランジ体４に設けられた各ネジ貫通孔４ａには、ネジ１３が、それぞれ貫通するようになっている。各ネジ１３には、圧縮バネ１１およびカラー１６が、それぞれ嵌合された状態で、各ネジ貫通孔４ａ内にそれぞれ挿入されており、各ネジ貫通孔４ａをそれぞれ貫通した各ネジ１３は、投写レンズ取付体９に設けられた各ナット部材９ｂに、それぞれネジ結合されている。各ネジ１３は、圧縮バネ１１によって、フランジ体４から離れる方向に付勢されている。
【００３３】
このような構成の光学ユニット２４では、図示しない光源から出射されて、Ｒ、Ｇ、Ｂの各色に分離された光が、各液晶パネル１Ｒ、１Ｇ、１Ｂにそれぞれ照射される。そして、各液晶パネル１Ｒ、１Ｇ、１Ｂにそれぞれ照射された各光が、画像情報に基づいて、各液晶パネル１Ｒ、１Ｇ、１Ｂの画素毎に変調されて、色合成プリズム２に与えられる。色合成プリズム２は、各液晶パネル１Ｒ、１Ｇ、１Ｂをそれぞれ透過した各色の光を合成し、色合成プリズム２によって合成された光によって形成される映像が、投写レンズ取付体９に取り付けられた投写レンズユニット７に照射される。
【００３４】
投写レンズユニット７は、色合成プリズム２から出射される映像を、キャビネット２９内に配置されたミラー２５に拡大して投影する。ミラー２５に投影された映像は、ミラー２５によって反射されてスクリーン３に投影される。これにより、スクリーン３に投影画像が映し出される。
【００３５】
光学ユニット２４に設けられたレンズシフト機構を使用する場合には、まず、各ネジ１３をそれぞれ緩めて、投写レンズユニット７のフランジ体４が、各ネジ１３に嵌合された圧縮バネ１１によって、投写レンズ取付体９に向かって付勢された状態とする。
【００３６】
このような状態で、第１レンズシフトカム２０を、フランジ体４および投写レンズ取付体９から突出した操作部２０ｄによって、例えば、図４に矢印Ａで示す方向に回動させる。これにより、第１レンズシフトカム２０の第１カム孔２０ｂも同方向に回動する。この第１カム孔２０ｂは、第１レンズシフトカム２０の周方向に対して傾斜した状態になっており、この第１カム孔２０ｂに挿入された第１駆動ピン５は、第１カム孔２０ｂが矢印Ａで示す方向に回動すると、その回動に伴って、順次、第１レンズシフトカム２０の中心から遠ざかるように移動する。
【００３７】
第１駆動ピン５は、投写レンズ取付体９に設けられた第１レンズシフトカム２０の半径方向に沿って延びるピンガイド孔８内にスライド可能に挿入されており、第１カム孔２０ｂの回動に伴って、第１駆動ピン５は、ピンガイド孔８にガイドされて、図４に矢印Ｙで示す第１レンズシフトカム２０の半径方向に沿って移動する。
【００３８】
この場合、第１カム孔２０ｂと同位置に設けられた第２レンズシフトカム２２の第２ガイド孔２２ｃは、第１カム孔２０ｂ全体を取り囲むように設けられているために、第１カム孔２０ｂの回動による第１駆動ピン５の移動を妨げるおそれがない。
【００３９】
また、第２駆動ピン６が挿通する第２レンズシフトカム２２の第２カム孔２２ｂおよび第１レンズシフトカム２０の第１ガイド孔２０ｃは、第１駆動ピン５の移動方向にほぼ沿った状態になっているために、第１駆動ピン５が矢印Ｙで示す方向に移動する際に、第２駆動ピン６も支障なく同方向に移動する。
【００４０】
このように、第１レンズシフトカム２０の回動に伴って、第１駆動ピン５は、第１レンズシフトカム２０の半径方向に移動される。この場合の第１駆動ピン５の移動量は、第１レンズシフトカム２０の移動量に対して小さく、従って、第１駆動ピン５を、矢印Ｙで示す方向に精密に移動させることができる。
【００４１】
第１駆動ピン５が、図４に矢印Ｙで示す方向に移動することにより、第１駆動ピン５が取り付けられたフランジ体４も同方向に移動し、フランジ体４が設けられた投写レンズユニット７も、光軸に対して直交する半径方向に沿って移動する。図４に矢印Ｙで示す方向は、図５に示すように、スクリーン３上においては、垂直方向であるＹＹ方向になっており、投写レンズユニット７が図４に矢印Ｙで示す方向に移動することにより、スクリーン３上に投影される映像の中心２６は、ＹＹ方向である映像の垂直方向に移動する。
【００４２】
この場合、前述したように、第１駆動ピン５を高精度で矢印Ｙ方向に移動させることができるために、スクリーン３上に投影される映像の位置を、垂直方向に対して高精度で調整することができる。
【００４３】
また、第１レンズシフトカム２０を、フランジ体４および投写レンズ取付体９から突出した操作部２０ｄの操作により、図４に矢印Ｂで示す方向に回動させると、同様にして、第１駆動ピン５が矢印Ｙで示す方向とは反対方向に移動される。これにより、投写レンズユニット７が、矢印Ｙとは反対方向に平行移動され、スクリーン３上に投影される映像の中心２６は、図５に示すＹＹ方向とは反対の垂直方向に移動する。
【００４４】
さらに、第２レンズシフトカム２２を、フランジ体４および投写レンズ取付体９から突出した操作部２２ｄの操作によって、図４に矢印Ｃで示す方向に回動させると、第２レンズシフトカム２２の第２カム孔２２ｂも同方向に回動する。第２カム孔２２ｂは、第２レンズシフトカム２２の周方向に対して傾斜した状態になっており、第２カム孔２２ｂに挿入された第２駆動ピン６は、第２カム孔２２ｂが矢印Ｃで示す方向に回動されると、その回動に伴って、順次、第２レンズシフトカム２２の中心に接近する方向に移動される。
【００４５】
この場合、投写レンズユニット７のフランジ体４に取り付けられた第１駆動ピン５は、投写レンズ取付体９に設けられた第１レンズシフトカム２０の半径方向に沿って延びるピンガイド孔８内に挿入されているために、そのピンガイド孔８の長手方向と直交する方向には移動されない。従って、第２駆動ピン６が、第２レンズシフトカム２２の中心に向かって移動されると、図４にＸで示すように、第１駆動ピン５を中心とした円周上を移動する。
【００４６】
第２駆動ピン６が、図４に矢印Ｘで示すように、円弧状に移動することにより、第２駆動ピン５が取り付けられたフランジ体４も同方向に移動し、フランジ体４が設けられた投写レンズユニット７も、同方向に移動する。図４に矢印Ｘで示す方向は、図５に示すように、スクリーン３上においては、水平方向にほぼ沿った円弧状のＸＸ方向になっており、スクリーン３上に投影される映像の中心２６は、ＸＸ方向に沿って移動する。
【００４７】
この場合、第２カム孔２２ｂと同位置に設けられた第１レンズシフトカム２０の第１ガイド孔２０ｃは、第２カム孔２２ｂ全体を取り囲む大きさになっているために、第２カム孔２２ｂの回動による第２駆動ピン５の移動を妨げるおそれがない。
【００４８】
第２レンズシフトカム２２の回動に伴って、第２駆動ピン６は、第２レンズシフトカム２２のほぼ半径方向に沿って移動されるが、その移動量は、第２レンズシフトカム２２の回動量に対して小さくなっている。従って、第２駆動ピン６を精度よく、矢印Ｘで示す方向に移動させることができる。その結果、スクリーン３上に投影される映像の中心２６を、水平方向に対して高精度で調整することができる。
【００４９】
このようにして、投写レンズユニット７の位置を調整して、スクリーン３上に投影された映像の位置を調整する。スクリーン３上の映像の位置が調整されると、ねじ１３を、それぞれ締め付ける。これにより、投写レンズユニット７は、投写レンズ取付体９に対して位置決めされた調整状態で固定される。
【００５０】
なお、上記実施の形態では、第１レンズシフトカム２０および第２レンズシフトカム２２は、それぞれ、投写レンズユニット７の光軸付近を回動中心とするリング形状であって、投写レンズ取付体９に回動可能に取り付けられる構成であったが、このような構成に限らず、第１レンズシフトカム２０は、第１駆動ピン５をピンガイド孔８に沿って移動させることができるように、投写レンズ取付体９に対して移動できる構成であればよい。また、第２レンズシフトカム２２も、同様に、第２駆動ピン６を所定方向に移動させることができるように、投写レンズ取付体９に対して移動できる構成であればよい。例えば、第１およびレンズシフトカム２０および２２は、第２の投写レンズ取付体９に対して直線方向に移動できる構成であってもよい。また、投写レンズ取付体９に対して回動可能になっていても、それぞれの回動中心は、投写レンズユニット７の光軸付近から離れていてもよい。
【００５１】
さらに、第１駆動ピン５および第２駆動ピン６は、それぞれ、投写レンズユニット７に対して一体となったフランジ体５に取り付けられた構成であったが、例えば、図６および図７に示すように、第１駆動ピン５および第２駆動ピン６を投写レンズ取付体９にそれぞれ設けて、第１駆動ピン５が挿入されて投写レンズ取付体９の半径方向に沿ってガイドするピンガイド孔８を、投写レンズユニット７と一体となったフランジ体４に設けるようにしてもよい。
【００５２】
この場合にも、第１レンズシフトカム２０の回動操作によって、第１駆動ピン５がピンガイド孔８に沿って半径方向に沿って移動され、これにより、第１駆動ピン５が取り付けられた投写レンズ取付体９が、投写レンズユニット７と一体となったフランジ体４に対して移動される。同様に、第２レンズシフトカム２２の回動操作によって、第２駆動ピン６が移動され、これにより、第２駆動ピン６が取り付けられた投写レンズ取付体９が、投写レンズユニット７と一体となったフランジ体４に対して移動される。
【００５３】
【発明の効果】
本発明のレンズシフト機構は、このように、部品点数の増加を最小限に押えた簡潔な構成であり、投写レンズユニットを、１方向または２方向に微調整することができ、その結果、投写レンズユニットから投影される映像の位置を微調整することができる。
【図面の簡単な説明】
【図１】本発明のレンズシフト機構が設けられた光学ユニットの一例を示す斜視図である。
【図２】その光学ユニットを分解して示す斜視図である。
【図３】その光学ユニットが使用されたリアＰＴＶの断面概略図である。
【図４】その光学ユニットの要部を示す正面図である。
【図５】その光学ユニットによって表示される映像の位置を説明するための概略図である。
【図６】本発明のレンズシフト機構が設けられた光学ユニットの他の例を示す斜視図である。
【図７】その光学ユニットを分解して示す斜視図である。
【符号の説明】
１Ｒ、１Ｇ、１Ｂ  液晶パネル
２  色合成プリズム
３  スクリーン
４  フランジ体
５  第１駆動ピン
６  第２駆動ピン
７  投写レンズユニット
８  ピンガイド孔
９  投写レンズ取付体
１１  圧縮ばね
１３  ねじ
１６  カラー
２０  第１レンズシフトカム
２０ａ  開口部
２０ｂ  第１カム孔
２０ｃ  第１ガイド孔
２２  第２レンズシフトカム
２２ａ  開口部
２２ｂ  第２カム孔
２２ｃ  第２ガイド孔
２３  リアＰＴＶ
２４  光学ユニット
２５  ミラー
２６  映像中心位置
【図１】
0004530500.tif 000002
【図２】
0004530500.tif 000003
【図３】
0004530500.tif 000004
【図４】
0004530500.tif 000005
【図５】
0004530500.tif 000006
【図６】
0004530500.tif 000007
【図７】
0004530500.tif 000008